(57)【要約】【課題】第１のコネクタが第２のコネクタから抜脱してしまう虞を低減可能なパチンコ遊技機の提供。【解決手段】ハーネス５１が延設されたコネクタ５２と、コネクタ５２が接合されるコネクタ５３と、コネクタ５３が固定されたコネクタ固定部材と、コネクタ固定部材を収納乃至は被覆する収納部材とを備え、収納部材に突出部４７が設けられ、突出部４７にハーネス５１が巻回されて、コネクタ５２がコネクタ５３に接合されているパチンコ遊技機。【選択図】図１３
2011120639.tif 000002
【特許請求の範囲】
【請求項１】
ハーネスが延設された第１のコネクタと、
前記第１のコネクタが接合される第２のコネクタと、
前記第２のコネクタが固定されたコネクタ固定部材と、
前記コネクタ固定部材を収納乃至は被覆する収納部材と、
を備え、
前記収納部材に突出部が設けられ、前記突出部に前記ハーネスが巻回されて、前記第１のコネクタが前記第２のコネクタに接合されていることを特徴とするパチンコ遊技機。
【請求項２】
前記収納部材が、前記突出部に巻回された前記ハーネスを前記突出部の自由端側から押えるハーネス押え部を、有していることを特徴とする請求項１記載のパチンコ遊技機。
【発明の詳細な説明】
【技術分野】
【０００１】
本発明は、コネクタ同士の接合が解除される虞を低減可能なパチンコ遊技機に関する。
【背景技術】
【０００２】
下記特許文献１には、第１のコネクタと、第１のコネクタが接合される第２のコネクタとを備えるコネクタ装置において、第１のコネクタにフック体を設け、そのフック体を第２のコネクタに係止することにより、フック体を揺動させなければ第１のコネクタを第２のコネクタから抜脱できないようにし、さらに、コネクタロックを装着してフック体を揺動不可能として、第１のコネクタの第２のコネクタからの抜脱を防止するパチンコ遊技機が記載されている。
【先行技術文献】
【特許文献】
【０００３】
【特許文献１】特開２００８−２５７９７９号公報
【発明の概要】
【発明が解決しようとする課題】
【０００４】
しかし、第１のコネクタ及び第２のコネクタが設けられるスペースが非常に小さい場合、特に、取着面に垂直な方向にスペースがあまり無い場合には、上述したようなフック体付きのコネクタやコネクタロックは高さが高いため使用できない。このため、第１のコネクタから延設されているハーネスが引っ張られると、第１のコネクタが簡単に第２のコネクタから抜脱してしまうという問題があった。
【０００５】
本発明は、上述した問題を解決するものであり、互いに接合される第１のコネクタ及び第２のコネクタの配置スペースが非常に小さく、フック体付きのコネクタやコネクタロックを使用できないような場合であっても、第１のコネクタが第２のコネクタから抜脱してしまう虞を低減可能なパチンコ遊技機を提供することを目的とする。
【課題を解決するための手段】
【０００６】
本発明のパチンコ遊技機は、ハーネスが延設された第１のコネクタと、前記第１のコネクタが接合される第２のコネクタと、前記第２のコネクタが固定されたコネクタ固定部材と、前記コネクタ固定部材を収納乃至は被覆する収納部材と、を備え、前記収納部材に突出部が設けられ、前記突出部に前記ハーネスが巻回されて、前記第１のコネクタが前記第２のコネクタに接合されていることを特徴とする。
【０００７】
ここで、前記収納部材が、前記突出部に巻回された前記ハーネスを前記突出部の自由端側から押えるハーネス押え部を、有していることが好ましい。
【発明の効果】
【０００８】
本発明のパチンコ遊技機によれば、ハーネスが引っ張られても、その力がハーネスが巻回されている所より先には伝わらないため、第１のコネクタ及び第２のコネクタの配置スペースが非常に小さくフック体付きのコネクタやコネクタロックを使用できないような場合であっても、第１のコネクタが第２のコネクタから抜脱してしまう虞を低減可能である。
【図面の簡単な説明】
【０００９】
【図１】本発明の一実施形態に係るパチンコ遊技機の可動役物装置が収納状態にあるときの正面図である。
【図２】同実施形態に係る電気系統のブロック図である。
【図３】同実施形態に係る可動役物装置の収納状態の正面図である。
【図４】同実施形態に係る可動役物装置のモータ及び後ケース部を省略した収納状態の背面図である。
【図５】図３のV-V部位断面図である。
【図６】図３のVI-VI部位断面図である。
【図７】図３のモータ及び後ケース部を省略したVII-VII部位断面図である。
【図８】同実施形態に係る可動役物装置の動作途中の正面図である。
【図９】同実施形態に係る可動役物装置のモータ及び後ケース部を省略した動作途中の背面図である。
【図１０】同実施形態に係る可動役物装置の最大下降状態の正面図である。
【図１１】同実施形態に係る可動役物装置のモータ及び後ケース部を省略した最大下降状態の背面図である。
【図１２】同実施形態に係るパチンコ遊技機の可動役物装置が最大下降状態にあるときの正面図である。
【図１３】同実施形態に係る左アーム部材及び右アーム部材を取り外した状態の装飾部材の背面図である。
【図１４】図１３のXIV-XIV部位断面図である。
【図１５】図１３のXV-XV部位断面図である。
【図１６】同実施形態に係る第１のコネクタ及び第２のコネクタの斜視図である。
【図１７】同実施形態に係るタイマ割込処理のフローチャートである。
【図１８】同実施形態に係るコマンド受信処理のフローチャートである。
【図１９】同実施形態に係る演出選択処理のフローチャートである。
【図２０】同実施形態に係る変動演出終了中処理のフローチャートである。
【発明を実施するための形態】
【００１０】
本発明の一実施形態に係るパチンコ遊技機について、図面に基づいて説明する。
【００１１】
図１に示すように、第１実施形態のパチンコ遊技機は、枠ランプ１７及びスピーカ１８が配設された前面枠１０と、前面枠１０の内側に配設された遊技盤１とを備え、遊技盤１には遊技球が流下する遊技領域２が形成されている。遊技領域２には、ゲート８、電動チューリップ５を備えた始動入賞装置４、大入賞装置７、及び、普通入賞装置９が配設されている。遊技領域２の中央部には中央役物装置１１が配設され、中央役物装置１１には、画像表示器６の液晶画面６ａ、及び、可動役物装置３が配設されている。また、遊技領域２の外側には、普通図柄表示器１３、特別図柄表示器１４、普通図柄保留ランプ１５、及び、特別図柄保留ランプ１６が配設されている。
【００１２】
図２に示すように、実施形態のパチンコ遊技機の電気系統は、主制御基板２０、払出制御基板２１、演出制御基板２２、画像制御基板２３、及び、ランプ制御基板２４を備えている。主制御基板２０には、払出制御基板２１、及び、演出制御基板２２が接続されるとともに、始動入賞装置４に設けられた始動口ＳＷ（スイッチ）４ａ、電動チューリップ５を作動させる電チューソレノイド５ａ、ゲート８に設けられたゲートＳＷ８ａ、大入賞装置７に設けられた大入賞口ＳＷ７ａ、大入賞装置７を開閉させる大入賞口ソレノイド７ｂ、普通入賞装置９に設けられた普通入賞口ＳＷ９ａ、特別図柄保留ランプ１６、普通図柄保留ランプ１５、特別図柄表示器１４、及び、普通図柄表示器１３がそれぞれ接続されている。
【００１３】
主制御基板２０は、始動入賞装置４への遊技球の入賞を契機として大当たり抽選を行い、特別図柄表示器１４において、特別図柄の変動表示を経て大当たり抽選の結果に応じた特別図柄を停止表示する特別図柄変動を実行し、特別図柄が大当たりを示す図柄で停止した場合には、大入賞装置７を所定回数開放する大当たり遊技を実行する。
【００１４】
また、主制御基板２０は、払出制御基板２１に各種コマンドを送信するとともに、払い出し監視のために払出制御基板２１から信号を受信する。払出制御基板２１には、図示しない払出装置を駆動する払出駆動モータ２６が接続され、払出制御基板２１は、主制御基板２０から受信したコマンドに従って払出駆動モータ２６を動作させ、賞球の払出を行わせる。
【００１５】
さらに、主制御基板２０は、演出制御基板２２に対し各種コマンドを送信し、演出制御基板２２には、画像制御基板２３及びランプ制御基板２４が接続されて、演出制御基板２２は、画像制御基板２３及びランプ制御基板２４との間でコマンドや信号の送受信を行う。画像制御基板２３には、画像表示器６及びスピーカ１８が接続され、ランプ制御基板２４には、枠ランプ１７及び可動役物装置３が接続されて、可動役物装置３はランプ制御基板２４から受信した信号に従って作動する。
【００１６】
可動役物装置３は、図３〜７に示すように、ケース３０と、ケース３０に固定された駆動手段であるモータ（ここでは、正逆回転可能なステッピングモータ）３１と、モータ３１の回転軸に取着された駆動ギヤ３２と、駆動ギヤ３２に噛合して駆動ギヤ３２に従動する従動ギヤ３３と、駆動ギヤ３２に噛合された左回動部材３４と、従動ギヤ３３に噛合された右回動部材３５と、左回動部材３４と右回動部材３５とを連結するばね３６と、左回動部材３４に連結された左アーム部材３７と、右回動部材３５に連結された右アーム部材３８と、左アーム部材３７及び右アーム部材３８に連結された装飾部材４０とを備えている。なお、本明細書において、前後、上下とは、遊技盤１を使用時のように立てた状態における前後（なお、遊技領域２側を前、その反対側を後とする。）、上下をそれぞれいうものとする。また、左右とは、遊技盤１に向かって左右をいうものとする。
【００１７】
詳しくは、ケース３０は、図５に示すように、前ケース部３０ａと後ケース部３０ｂとからなり、中央役物装置１１（図１参照）に固定されている。前ケース部３０ａには、図３に示すように、左側部に左ガイド部３０ｃが、右側部に右ガイド部３０ｄが形成されている。左ガイド部３０ｃは、前ケース部３０ａを貫通する（すなわち、前方にも後方にも開口する）孔状であり、以下、孔３０ｃともいう。孔３０ｃの内周面の左側部には、上方に行くに従って右方に傾斜する傾斜面３０ｈが形成されている。右ガイド部３０ｄは、前方に向かって突出する突出形状とされ、右ガイド部３０ｄの外周面の左側部には、上方に行くに従って左方に傾斜する傾斜面３０ｉが形成されている。前ケース部３０ａの右側部には、右ガイド部３０ｄよりも左側に、前ケース部３０ａを貫通する孔３０ｅが形成されている。前ケース部３０ａの左右方向における中央部には、上下方向（鉛直方向）に延びる２つのガイド溝３０ｆ、３０ｇが形成されている。ガイド溝３０ｆ、３０ｇは、部分的に前ケース部３０ａを貫通する他は、後方に向かって凹んでいる。
【００１８】
図５に示すように、モータ３１は後ケース部３０ｂの後面側に固定されて、モータ３１の駆動軸は後ケース部３０ｂを前方に貫通している。モータ３１の駆動軸には駆動ギヤ３２が取着されて、駆動ギヤ３２はモータ３１の駆動軸に連動して正逆回転する。駆動ギヤ３２には、駆動ギヤ３２と同径で同一歯数の従動ギヤ３３が噛合されている。駆動ギヤ３２、従動ギヤ３３、左回動部材３４、及び、右回動部材３５は、ケース３０内に収納されている。従動ギヤ３３、左回動部材３４、及び、右回動部材３５の回動中心にそれぞれ形成された貫通孔には、回動軸が挿通され、各回動軸は、前ケース部３０ａに形成された軸孔に挿通されている。
【００１９】
図４に示すように、左回動部材３４は、歯部３４ａが形成された扇形ギヤ部３４ｂと、扇形ギヤ部３４ｂに一体形成され、扇形ギヤ部３４ｂの回動中心（すなわち、左回動部材３４の回動中心）から略左方に突出するアーム連結片３４ｃと、扇形ギヤ部３４ｂに一体形成され、アーム連結片３４ｃに対し略直角をなして、扇形ギヤ部３４ｂの回動中心から略上方に突出するばね連結片３４ｄとから構成されている。なお、図４は背面図であるので、紙面上の左右が、遊技盤１における左右とは逆になっている。右回動部材３５は、左回動部材３４と略左右対称な形をなして、左回動部材３４の右方に配置されている。詳しくは、右回動部材３５は、歯部３５ａが形成された扇形ギヤ部３５ｂと、扇形ギヤ部３５ｂに一体形成され、扇形ギヤ部３５ｂの回動中心（すなわち、右回動部材３５の回動中心）から略右方に突出するアーム連結片３５ｃと、扇形ギヤ部３５ｂに一体形成され、アーム連結片３５ｃに対し略直角をなして、扇形ギヤ部３５ｂの回動中心から略上方に突出するばね連結片３５ｄとから構成されている。そして、歯部３４ａが駆動ギヤ３２に噛合され、歯部３５ａが従動ギヤ３３に噛合されることにより、左回動部材３４と右回動部材３５は、同時に互いに反対回りに回動（揺動）するように構成されている。なお、左回動部材３４の歯部３４ａと駆動ギヤ３２の歯部との間、右回動部材３５の歯部３５ａと従動ギヤ３３の歯部との間には、それぞれクリアランスが設けられている。
【００２０】
また、左回動部材３４のばね連結片３４ｄと、右回動部材３５のばね連結片３５ｄとは、先端部同士がコイルばね３６で連結されており、左回動部材３４及び右回動部材３５は、図４の二点鎖線矢印で示すように、左回動部材３４が背面視において反時計回り（正面視において右回り）方向に、右回動部材３５が背面視において時計回り（正面視において左回り）方向に付勢されている。
【００２１】
左アーム部材３７は、図３に示す収納状態において左右方向に長いアーム部３７ａと、アーム部３７ａの左右方向における中央部よりも左寄りの部位から後方に突出する筒状の連結部３７ｂとを有し、図６に示すように、連結部３７ｂは孔３０ｃに挿通されている。そして、連結部３７ｂに挿通された連結軸３７ｃが、アーム連結片３４ｃの先端部に形成された貫通孔に挿通されることにより、左アーム部材３７は左回動部材３４に回動自在に軸着されている。図３に示すように、左アーム部材３７の右側の端部である一端部３７ｄ（アーム部３７ａの一端部にも相当。）には、装飾部材４０が連結されており、左アーム部材３７の左側の端部である他端部３７ｅ（アーム部３７ａの他端部にも相当。）は、図６に示すように、孔３０ｃの開口面から前方に突出しないように、孔３０ｃ内に配置され、左アーム部材３７のアーム部３７ａは、他端部３７ｅを除いて、前ケース部３０ａの前面側に配置されている。左アーム部材３７は、図３に示すように、正面視において、連結部３７ｂから一端部３７ｄまでの部分が略へ字形状に屈曲し、更に、連結部３７ｂにおいて、連結部３７ｂから一端部３７ｄまでの部分がなす略へ字形状とは反対側に屈曲した形状とされている。
【００２２】
右アーム部材３８は、図３に示す収納状態において左右方向に長いアーム部３８ａと、アーム部３８ａの左右方向における中央部よりも右寄りの部位から後方に突出する筒状の連結部３８ｂとを有し、図６に示すように、アーム部３８ａは前ケース部３０ａの前面側に配置され、連結部３８ｂは孔３０ｅに挿通されている。そして、連結部３８ｂに挿通された連結軸３８ｃが、アーム連結片３５ｃの先端部に形成された貫通孔に挿通されることにより、右アーム部材３８は右回動部材３５に回動自在に軸着されている。図３に示すように、右アーム部材３８の左側の端部である一端部３８ｄ（アーム部３８ａの一端部にも相当。）には、装飾部材４０が連結されている。右アーム部材３８は、正面視において、連結部３８ｂから一端部３８ｄまでの部分が略へ字形状に屈曲し、更に、連結部３８ｂにおいて、連結部３８ｂから一端部３８ｄまでの部分がなす略へ字形状とは反対側に屈曲した形状とされている。
【００２３】
図３に示すように、装飾部材４０は、ゴングを模したゴング部４１と、ゴング部４１に固着され、ハンマーを模したハンマー部４２とを有し、ゴング部４１の上端部の中央部４１ａには、左アーム部材３７の一端部３７ｄと、右アーム部材３８の一端部３８ｄとが、それぞれ軸着されている。詳しくは、図７に示すように、一端部３７ｄ、３８ｄには、それぞれ前方に開口する有底孔が形成され、中央部４１ａには、左右にそれぞれ貫通孔４１ｂ、４１ｃが形成されて、一端部３７ｄ、３８ｄは中央部４１ａの後面側から貫通孔４１ｂ、４１ｃに挿入されている。そして、円環状の前壁部と前壁部から後方に延設された円筒部とからなる軸取付部材４３、４４が、中央部４１ａの前面側から、貫通孔４１ｂ、４１ｃの内周壁と一端部３７ｄ、３８ｄとの間の隙間に円筒部を配置するように挿入されて、軸取付部材４３、４４の前壁部の孔からそれぞれ挿通された回動軸が、一端部３７ｄ、３８ｄの有底孔に挿入されることにより、一端部３７ｄ、３８ｄは中央部４１ａに軸着されている。また、図７に示すように、一端部３７ｄ、３８ｄの有底孔の形成部位は、それぞれ後方に突出する突出部３７ｆ、３８ｆとされており、突出部３７ｆ、３８ｆが、ガイド溝３０ｆ、３０ｇ内に摺動可能に配置され、移動時にガイド溝３０ｆ、３０ｇによって案内されることにより、一端部３７ｄ、３８ｄに連結された装飾部材４０は、ふらつきなく鉛直方向に移動することとなる。
【００２４】
以上のように構成された可動役物装置３の動作について、次に説明する。
【００２５】
図３、４に示すように、可動役物装置３は、待機状態（収納状態）にあるとき、左アーム部材３７は、一端部３７ｄの後面側の突出部３７ｆ（図７参照）が、ガイド溝３０ｆの上端の壁部３０ｊ（図８参照）に当接し、連結部３７ｂが孔３０ｃの内周面の上端部に当接している。また、右アーム部材３８は、一端部３８ｄの後面側の突出部３８ｆ（図７参照）が、ガイド溝３０ｇの上端の壁部３０ｋ（図８参照）に当接し、他端部３８ｅが右ガイド部３０ｄの傾斜面３０ｉの上端部に当接している。このとき、装飾部材４０はその昇降（上下動）可能範囲において最も上に位置し、装飾部材４０の上端部の左側部及び右側部は、それぞれアーム部３７ａ、３８ａに沿って配置されている。また、このとき、ばね３６は左右方向に若干伸ばされた状態であり、更に縮む方向、すなわち、図４の二点鎖線矢印で示す方向に、左回動部材３４及び右回動部材３５を付勢している。この方向は装飾部材４０を上昇させる方向である。
【００２６】
可動役物装置３は、待機状態から、モータ３１を駆動させて駆動ギヤ３２を右回りに回転させ、従動ギヤ３３は左回りに回転する。これに伴って、ばね３６の付勢力に抗して、左回動部材３４は左回りに、右回動部材３５は右回りに回動し、アーム連結片３４ｃ、３５ｃは、それぞれ、先端部を下降させる方向に揺動する。左アーム部材３７及び右アーム部材３８は、それぞれ、アーム連結片３４ｃ、３５ｃの先端部に、連結軸３７ｃ、３８ｃで回動自在に連結され、かつ、一端部３７ｄ、３８ｄの後面側の突出部３７ｆ、３８ｆがガイド溝３０ｆ、３０ｇ内に配置されているため、アーム連結片３４ｃ、３５ｃが先端部を下降させる方向に揺動すると、左アーム部材３７及び右アーム部材３８は、全体が下降しつつ、それぞれ連結軸３７ｃ、３８ｃを中心としてアーム連結片３４ｃ、３５ｃに対して回動して、突出部３７ｆ、３８ｆがガイド溝３０ｆ、３０ｇ内を摺動しつつ下降する。すなわち、一端部３７ｄ、３８ｄがガイド溝３０ｆ、３０ｇに沿って下降するため、一端部３７ｄ、３８ｄに連結された装飾部材４０は、ガイド溝３０ｆ、３０ｇの延設方向（鉛直方向）に沿って下降し、図８、９に示す状態となる。
【００２７】
可動役物装置３は、図８、９に示す状態から、さらに、駆動ギヤ３２を右回りに回転させる。したがって、アーム連結片３４ｃ、３５ｃは、更に、先端部を下降させる方向に揺動し、左アーム部材３７及び右アーム部材３８は、更に、全体が下降しつつ、それぞれ連結軸３７ｃ、３８ｃを中心としてアーム連結片３４ｃ、３５ｃに対して回動して、突出部３７ｆ、３８ｆがガイド溝３０ｆ、３０ｇ内を摺動しつつ下降するが、やがては、図１０、１１に示すように、連結部３７ｂ、３８ｂが、それぞれ、孔３０ｃ、３０ｅの内周面の下端部に当接し、それ以上、アーム連結片３４ｃ、３５ｃは先端部が下降できない状態となる。このとき、装飾部材４０はその昇降可能範囲において最も下に位置することとなり、図１２に示すように、液晶画面６ａの前方に装飾部材４０の略全体が出現することとなる。この図１２に示す装飾部材４０の位置を最大下降位置という。装飾部材４０が最大下降位置まで下降したとき、可動役物装置３はモータ３１の駆動を一旦停止する。
【００２８】
可動役物装置３は、液晶画面６ａの前方に装飾部材４０の略全体を出現させた状態で、モータ３１を細かく正逆回転させることにより、装飾部材４０をあたかも振動しているかのように細かく上下動させる。詳しくは、図１０、１１に示す状態から、モータ３１は駆動ギヤ３２を所定の小さい回転角度だけ逆回転（左回りに回転）させる。すると、左回動部材３４は右回りに、右回動部材３５は左回りに少し回動し、アーム連結片３４ｃ、３５ｃは、先端部を上昇させる方向に少し揺動し、左アーム部材３７及び右アーム部材３８は、上述した下降の場合とは逆に動作して、一端部３７ｄ、３８ｄがガイド溝３０ｆ、３０ｇに沿って少し上昇することとなる。したがって、装飾部材４０は鉛直方向に沿って少し上昇する。次に、モータ３１は駆動ギヤ３２を、逆回転させたときと同じ回転角度だけ正回転（右回りに回転）させる。すると、装飾部材４０が鉛直方向に少し下降して、再び図１０、１１に示す状態になる。可動役物装置３は、かかるモータ３１の細かい（回転角度の小さい）正逆回転を繰り返すことにより、装飾部材４０を細かく上下動させる。
【００２９】
可動役物装置３は、上述したような装飾部材４０の細かい上下動を所定時間行った後、駆動ギヤ３２を左回りに連続的に回転させて、左回動部材３４を右回りに、右回動部材３５を左回りに回動させ、アーム連結片３４ｃ、３５ｃを、先端部が上昇する方向に揺動させる。すると、左アーム部材３７及び右アーム部材３８は、全体が上昇しつつ、それぞれ連結軸３７ｃ、３８ｃを中心としてアーム連結片３４ｃ、３５ｃに対して回動するので、一端部３７ｄ、３８ｄがガイド溝３０ｆ、３０ｇに沿って上昇し、装飾部材４０が鉛直方向に沿って上昇する。そして、左アーム部材３７の他端部３７ｅが左ガイド部３ｃの傾斜面３０ｈに当接し、右アーム部材３８の他端部３８ｅが右ガイド部３０ｄの傾斜面３０ｉに当接して、図８、９に示す状態となる。図８、９は、左アーム部材３７及び右アーム部材３８が最大下降位置から上昇してきて、最初に、他端部３７ｅが傾斜面３０ｈに、他端部３８ｅが傾斜面３０ｉに当接した状態を示している。このとき、図８に示すように、右アーム部材３８は、他端部３８ｅよりも連結部３８ｂの方が若干上に位置し、左アーム部材３７も、他端部３７ｅよりも連結部３７ｂの方が若干上に位置している。
【００３０】
可動役物装置３は、図８、９に示す状態から、駆動ギヤ３２を更に左回りに回転させるので、左アーム部材３７は、他端部３７ｅが傾斜面３０ｈに摺接しつつ（すなわち、左ガイド部３０ｃに案内されて）上昇し、右アーム部材３８は、他端部３８ｅが傾斜面３０ｉに摺接しつつ（すなわち、右ガイド部３０ｄに案内されて）上昇する。傾斜面３０ｈは上方に行くに従って右方に傾斜し、連結軸３７ｃの描く円弧状の軌跡と傾斜面３０ｈとの連結軸３７ｃの回動半径方向における間隔は、図８に示すように、他端部３７ｅが傾斜面３０ｈに当接したときの位置から、上方に行くに従って次第に短くなる。このため、左アーム部材３７は、他端部３７ｅが傾斜面３０ｈに沿って上昇すると、図８に示す状態から、他端部３７ｅよりも連結部３７ｂの方が更に上になるように傾くこととなり、すなわち、連結軸３７ｃを中心として一端部３７ｄを上昇させる方向に回動することとなる。また、傾斜面３０ｉは上方に行くに従って左方に傾斜し、連結軸３８ｃの描く円弧状の軌跡と傾斜面３０ｉとの連結軸３８ｃの回動半径方向における間隔は、図８に示すように、他端部３８ｅが傾斜面３０ｉに当接したときの位置から、上方に行くに従って次第に短くなる。このため、右アーム部材３８は、他端部３８ｅが傾斜面３０ｉに沿って上昇すると、図８に示す状態から、他端部３８ｅよりも連結部３８ｂの方が更に上になるように傾くこととなり、すなわち、連結軸３８ｃを中心として一端部３８ｄを上昇させる方向に回動することとなる。したがって、装飾部材４０は、図８に示す状態から更に上昇することとなる。そして、可動役物装置３は、左アーム部材３７の連結部３７ｂが孔３０ｃの内周面の上端部に当接したとき、モータ３１の駆動を停止して、図３、４に示す待機状態となる。
【００３１】
次に、装飾部材４０におけるコネクタの取付構造について説明する。図１３に示すように、装飾部材４０は、ゴング部４１の前部を構成するゴング前部材５０と、ハンマー部４２の前部を構成するハンマー前部材４９と、ゴング前部材５０及びハンマー前部材４９の後側に螺着されて、ゴング部４１の後部及びハンマー部４２の後部を構成する後部材４５と、ゴング前部材５０と後部材４５との間に収納される基板４６とを備えている。また、図１４に示すように、ゴング前部材５０と後部材４５との間には、光拡散部材４８が収納されている。光拡散部材４８は、基板４６に配置された複数個のＬＥＤ（発光ダイオード）５４から発せられた光を拡散するためのものであり、基板４６の前に配置されている。ゴング前部材５０、ハンマー前部材４９、後部材４５、及び、光拡散部材４８は、いずれも合成樹脂製である。ゴング前部材５０の後面は、細かい凹凸が付された粗面（乱反射面）とされている。
【００３２】
基板４６には、第２のコネクタに相当するコネクタ５３が固定されている。なお、基板４６はコネクタ固定部材に相当し、ゴング前部材５０及び後部材４５は、コネクタ固定部材を収納乃至は被覆する収納部材に相当する。また、コネクタ５３及びＬＥＤ５４以外の基板４６に配設された部品は、図示を省略している。コネクタ５３には、ハーネス５１が延設された第１のコネクタに相当するコネクタ５２が接合されている。ハーネス５１は、図示はしないが、右アーム部材３８に沿って延設されて、ハーネス５１のコネクタ５２とは反対側の端部に取着されたコネクタが、可動役物装置３が備える図示しない基板上のコネクタに接合される。そして、ハーネス５１、コネクタ５２、及び、コネクタ５３を介して、基板４６上の回路に電流が流れ、回路上のＬＥＤ５４が発光するように構成されている。
【００３３】
図１３、１４に示すように、ゴング前部材５０の上端中央部には、後方に向かって突出する突出部４７が形成されている。突出部４７は、先端（自由端）４７ａ側に上方に突出する上方突出部４７ｂを有し、突出部４７にはハーネス５１が巻回され、上方突出部４７ｂは、ハーネス５１が自由端４７ａから抜脱するのを防止している。
【００３４】
図１３に示すように、後部材４５は中央部に開口部４５ａを有し、上端中央部には、上方に突出する略Ｙ字形状のハーネス押え部４５ｂを有している。ハーネス押え部４５ｂは、突出部４７を両側から挟むように配置され、図１５に示すように、突出部４７に巻回されたハーネス５１を突出部４７の自由端４７ａ側から押えている。
【００３５】
図１６に示すように、コネクタ５２は、フック体を有さないタイプのものであり、コネクタ５３に挿入されて、上壁部に形成された突起部５２ａが、コネクタ５３の上壁部に形成された貫通孔５３ａに係着されることにより、コネクタ５３と接合される。コネクタ５２の高さＨ１及びコネクタ５３の高さＨ２は、いずれも約３mmであり、コネクタ５２、５３は高さ方向を装飾部材４０の前後方向に一致させて配設される。装飾部材４０は前後方向の厚みが薄いため、上述したフック体付きのコネクタやコネクタロックは配設できないが、コネクタ５３及びコネクタ５２は、高さＨ１、Ｈ２が低いため、配設可能である。
【００３６】
以上のように構成された実施形態のパチンコ遊技機の演出制御基板２２による演出動作について、次に説明する。
【００３７】
［サブ側タイマ割込処理］演出制御基板２２は、図１７に示すようなサブ側タイマ割込処理を所定の短時間毎に繰り返す。サブ側タイマ割込処理では、後述するコマンド受信処理（S1201）と、セットしたコマンドを画像制御基板２３やランプ制御基板２４に送信するコマンド送信処理（S1202）とを行う。
【００３８】
［コマンド受信処理］図１８に示すように、コマンド受信処理では、演出制御基板２２は、主制御基板２０から変動開始コマンドを受信していれば後述する演出選択処理を行い（S1301,S1302）、変動停止コマンドを受信していれば後述する変動演出終了中処理を行う（S1303,1304）。そして、演出制御基板２２は、オープニングコマンドを受信していれば、オープニングコマンドを解析して、当たり演出パターンを選択し、オープニング演出開始コマンドをセットする当たり演出選択処理を行い（S1305,1306）、エンディングコマンドを受信していれば、エンディングコマンドを解析し、モードフラグを参照してエンディング演出パターンを選択し、エンディング演出開始コマンドをセットするエンディング演出選択処理を行う（S1307,1308）。
【００３９】
［演出選択処理］図１９に示すように、演出選択処理では、演出制御基板２２は、主制御基板２０から受信した変動開始コマンドを解析する（S1401）。変動開始コマンドには、現在の遊技状態を示す情報、大当たり抽選において選択された特別図柄及び変動パターンを示す情報が含まれている。次に、演出制御基板２２は、演出モードを示すモードフラグを参照して（S1402）、装飾図柄変動演出のパターンを選択する変動演出パターン選択処理を行う（S1403）。装飾図柄変動演出とは、数字等の装飾図柄と装飾図柄以外の画像とからなり、変動表示を経て停止表示された装飾図柄により大当たり抽選の結果を報知する演出である。また、演出モードとは、画像表示器６における演出の態様であり、演出モードが異なると、登場するキャラクタや背景が異なる等、画像表示器６に表示される動画が異なり、装飾図柄変動演出も演出モードに応じたものが選択される。また、演出制御基板２２は、可動役物装置３の動作パターンを選択するゴング演出パターン選択処理（S1404）を行う。ゴング演出パターンとしては、上述したように、待機位置から最大下降位置まで装飾部材４０を下降させて、細かく上下動させた後、待機位置まで上昇させるパターンの他、待機位置から最大下降位置まで下降させた後、細かい上下動は行わずに待機位置まで上昇させるパターン、装飾部材４０を動作させない（すなわち、待機位置に留めておく）パターン等がある。また、ゴング演出パターンには、ＬＥＤ５４の発光時間等を定めるＬＥＤ発光パターンが含まれる。そして、演出制御基板２２は、装飾図柄変動演出を開始するための変動演出開始コマンドをセットするとともに（S1405）、ゴング演出（選択したゴング演出パターンに従った演出）を行うためのゴング演出開始コマンドをセットする（S1406）。
【００４０】
［変動演出終了中処理］図２０に示すように、変動演出終了中処理では、演出制御基板２２は、変動停止コマンドを解析し（S1501）、モードフラグを参照する（S1502）。次に、今終了しようとする装飾図柄変動演出が当たり（大当たりまたは小当たり）を報知するものか否かを判定して（S1503）、当たりを報知するものであればモードフラグ変更処理を行う（S1508）。モードフラグ変更処理では、その当たりの種類に応じた演出モードを示すものにモードフラグを変更するとともに、変更後の演出モードが通常モードでない場合には、その演出モードに対応するカウンタの値Ｍに上限回数をセットする。
【００４１】
一方、演出制御基板２２は、今終了しようとする装飾図柄変動演出が当たりを報知するものでなければ（S1503でNO）、モードフラグが０か否かを判定し（S1504）、０であればステップS1509に進む。なお、モードフラグが０とは通常モードであることを示し、初期状態では（即ち、電源が投入されて最初の遊技が開始されるときは）モードフラグは０である。一方、モードフラグが０でなければ、現在の演出モード用のカウンタの値Ｍを１減少させて（S1505）、その値Ｍが０にならなければ（S1506でNO）、ステップS1509に進むが、０になれば（S1506でYES）、通常モードに戻すためにモードフラグを０として（S1507）、ステップS1509に進む。ステップS1509では、演出制御基板２２は、装飾図柄変動演出を終了させるための変動演出終了コマンドをセットする。そして、演出制御基板２２は、ゴング演出を終了させるためのゴング演出終了コマンドをセットする（S1510）。
【００４２】
以上のように動作することにより、実施形態のパチンコ遊技機では、装飾図柄変動演出に並行してゴング演出が行われ、可動役物装置３が装飾部材４０を昇降させたり、細かく上下動させたり、あるいは、装飾部材４０を待機位置に留め置いたりする。また、可動役物装置３は、ゴング演出パターンに従って、ＬＥＤ５４を発光させ、ＬＥＤ５４からの光は、光拡散部材４８及びゴング前部材５０の後面に形成された乱反射面により拡散されるので、ゴング部４１全体が光って見えることとなる。
【００４３】
本実施形態のパチンコ遊技機では、コネクタ５２のハーネス５１が、ゴング前部材５０に形成された突出部４７に巻回されて、コネクタ５２がコネクタ５３に接合されているので、例えば組立て時や右アーム部材３８の作動時に、ハーネス５１が引っ張られても、その力がハーネス５１が巻回されている所より先には伝わらないため、コネクタ５２がコネクタ５３から抜脱してしまう虞を低減できる。すなわち、コネクタが配置されるスペースが非常に小さく、フック体付きのコネクタやコネクタロックを使用できない場合であっても、第１のコネクタが第２のコネクタから抜脱してしまう虞を低減可能である。
【００４４】
また、後部材４５がハーネス押え部４５ｂを有し、ハーネス押え部４５ｂは、突出部４７に巻回されたハーネス５１を突出部４７の自由端４７ａ側から押えるので、ハーネス５１が突出部４７から外れてしまうことを防止できる。このため、コネクタ５２がコネクタ５３から抜脱する虞を更に低減できる。
【００４５】
なお、上記実施形態では、コネクタ固定部材を基板４６としたが、基板４６以外のものであってもよい。
【００４６】
また、後部材４５に、前方に突出する突出部を形成して、その突出部にハーネス５１を巻回することとし、ゴング前部材５０をハーネス押え部として用いることとしてもよい。
【符号の説明】
【００４７】
４５…後部材（収納部材）
４５ｂ…ハーネス押え部
４６…基板（コネクタ固定部材）
４７…突出部
４７ａ…先端（自由端）
５０…ゴング前部材（収納部材）
５１…ハーネス
５２…コネクタ（第１のコネクタ）
５３…コネクタ（第２のコネクタ）
【図１】
2011120639.tif 000003
【図２】
2011120639.tif 000004
【図３】
2011120639.tif 000005
【図４】
2011120639.tif 000006
【図５】
2011120639.tif 000007
【図６】
2011120639.tif 000008
【図７】
2011120639.tif 000009
【図８】
2011120639.tif 000010
【図９】
2011120639.tif 000011
【図１０】
2011120639.tif 000012
【図１１】
2011120639.tif 000013
【図１２】
2011120639.tif 000014
【図１３】
2011120639.tif 000015
【図１４】
2011120639.tif 000016
【図１５】
2011120639.tif 000017
【図１６】
2011120639.tif 000018
【図１７】
2011120639.tif 000019
【図１８】
2011120639.tif 000020
【図１９】
2011120639.tif 000021
【図２０】
2011120639.tif 000022